(57)【特許請求の範囲】
【請求項１】
着座者の頭部に対向する少なくとも第１の小区分（１１）が中心軸（１９）に沿って変位できる、車両座席（１）のためのヘッドレスト（４）であって、
第３の小区分（１３）に配置される、前記ヘッドレストの前記第１の小区分（１１）と第２の小区分（１２）との間の変位移動中に相対移動が発生し、および、前記第１の小区分（１１）の隣接面（１１’）が前記第２の小区分（１２）の隣接面（１２’）と隣接し、および、前記隣接面（１１’、１２’）には、歯状の配列を備えるポジティブ−ロック手段（１４）が備えられ、
変位方向（ｃ）に対して垂直に配列される面（２３）と前記ポジティブ−ロック手段（１４）との間の半径方向角（α）が少なくとも部分的に０°より大きく９０°未満であり、前記ヘッドレスト（４）が、前記第１の小区分（１１）と前記第２の小区分（１２）がお互いに対して移動することを防止するロック手段（１５）を備え、ロック動作を解放するために、前記ロック手段は外側半径方向へ移動することを特徴とするヘッドレスト。
【請求項２】
請求項１に記載のヘッドレストにおいて、前記半径方向角は、４０°と５０°の間であることを特徴とするヘッドレスト。
【請求項３】
請求項１または２に記載のヘッドレストにおいて、歯配列（１４）は鋸歯状の歯配列であることを特徴とするヘッドレスト。
【請求項４】
請求項１乃至３の何れか一項に記載のヘッドレストにおいて、前記ロック手段（１５）がポジティブ−ロック手段（１６）を備え、２つの異なる、重複しない移動によって、これらのポジティブ−ロック手段はロック位置またはロック解除位置に移動できることを特徴とするヘッドレスト。
【請求項５】
請求項４に記載のヘッドレストにおいて、ポジティブ−ロック手段（１６）は外側半径方向に移動できることを特徴とするヘッドレスト。
【請求項６】
請求項４または５に記載のヘッドレストにおいて、前記ロック手段（１５）の軸方向位置を変更できることを特徴とするヘッドレスト。
【請求項７】
請求項４乃至６の何れか一項に記載のヘッドレストにおいて、ポジティブ−ロック手段（１６）は、少なくとも部分的に、ポジティブ−ロック手段（１４）の半径方向角に対応する半径方向角（α）を備えることを特徴とするヘッドレスト。
【請求項８】
請求項４乃至７の何れか一項に記載のヘッドレストにおいて、前記ロック手段（１５）のポジティブ−ロック手段（１６）を変形させるスペーサ手段（１７）を備えることを特徴とするヘッドレスト。
【請求項９】
請求項８に記載のヘッドレストにおいて、前記スペーサ手段（１７）は小区分（１１、１２）によって駆動されることを特徴とするヘッドレスト。
【請求項１０】
請求項８または９に記載のヘッドレストにおいて、スペーサ手段（１７）は回転部材であることを特徴とするヘッドレスト。
【請求項１１】
少なくとも着座者の頭部に対向する第１の小区分（１１）が前記着座者の頭部方向に、中心軸（１９）に沿って変位する、車両座席（１）のためのヘッドレスト（４）を調節するための方法であって、第３の小区分（１３）上に配置される、ヘッドレストの第１の小区分（１１）と第２の小区分（１２）との間の変位移動中に相対移動が発生するステップと、前記相対移動によって、部分的にロック手段（１５）を外側半径方向へ移動させるスペーサ手段（１７）が駆動されるステップとを含むことを特徴とする方法。
【発明の詳細な説明】
【技術分野】
【０００１】
本発明は、車両座席のためのヘッドレストに関し、該ヘッドレストは、着座者の頭部に面する、少なくとも第１の小区分が着座者の頭部の方向に線形に変位でき、第３の小区分の上に配置された、ヘッドレストの第１の小区分と第２の小区分との間の変位移動の間に相対移動が発生し、および第１の小区分の隣接面が第２の小区分の隣接面に隣接し、並びに隣接面にはポジティブ−ロック手段、特に歯配列が備えられる。本発明はさらに、ヘッドレストを調節するための方法に関する。
【背景技術】
【０００２】
ドイツ特許出願公開第１９９２３９０９Ａ１号はヘッドレストを開示し、該ヘッドレストは、保持棒によって強固に、およびオプションで高さが調節可能に車両座席の背もたれに接続されているベース部材を備え、および戦車のように備えられた革張り部分の中に配置されている。事故の場合には、むち打ち型のけがを防ぐために、革張り部分が着座者の頭部の方向に移動する。この目的のために必要な力は、望遠鏡のようなガイドデバイスの内側の変位方向に付勢されたスプリングによって発生する。ドイツ特許出願公開第３９００４９５Ａ１号は別のヘッドレストを開示し、事故の場合に、該ヘッドレストの中の革張り部分は、ベース部材に対して回転する固定軸の周りで前方に回転できる。スプリングが搭載されたピストン／シリンダー配置が支持レバーとともに駆動デバイスとして機能し、ここでピストン棒が回転軸の領域でベース部材と関節で結合し、およびシリンダーが革張り部分と関節で結合する。ドイツ特許出願公開第１９９４１７１２Ｃ１号は、さらにヘッドレストを開示し、該ヘッドレストの中の変位革張り部材は、はさみ型の機構を介してベース部材に接続され、この手段によって革張り部材はレスト位置から離れて使用位置の方へ移動できる。本発明の請求項１のプリアンブルに記載のヘッドレストは、ドイツ特許出願公開第１０２００４０１６４７４Ｂ３号で知られている。この場合には、ヘッドレストの安全位置を確保するために、ヘッドレストの小区分は望遠鏡状にお互いに離れる。特に、快適性を増すために手動で調節できる頭部隣接面は、調節時にしばしばノイズを生成するという不都合がある。 
【発明の概要】
【発明が解決しようとする課題】
【０００３】
本発明の目的は、従来技術の不利益を持たないヘッドレストを調節するための方法によって、ヘッドレストを提供することである。 
【課題を解決するための手段】
【０００４】
本発明の目的は車両座席のためのヘッドレストによって達成される。着座者の頭部に面する少なくとも第１の小区分が、着座者の頭部および背部の方向に線形に変位でき、第３の小区分の上に配置された、ヘッドレストの第１の小区分と第２の小区分との間の変位移動の間に相対移動が発生し、および第１の小区分の隣接面が第２の小区分の隣接面に隣接し、および隣接面にはポジティブ−ロック手段、特に歯配列が備えられる。本発明による範囲には、少なくとも部分的に形成される、変位方向に対して垂直に配置された面とポジティブ−ロック手段との間の半径方向角が、半径方向角＞０°および半径方向角＜９０°であることが含まれる。 
【０００５】
本発明は、車両座席の背もたれの上に配置されたヘッドレストに関する。該車両座席は１人または複数の人に空間を提供できる。本発明による車両座席は、ベンチ型シートであってもよい。本発明によれば、一般に布張りがされ、および着座者の頭部および背部の方向に線形に変位できる第１の小区分をヘッドレストは備える。快適性を調節するために、または、追突された場合に頭部および／または首を負傷させないために、変位が実行される。本発明によれば、ヘッドレストは、第３の小区分の上に配置、たとえば、回転可能に配置される第２の小区分を備える。第３の小区分は、一般に、ヘッドレストの保持棒（単数または複数）が接続されるベース部材である。第１の部分は、着座者の頭部の方向または着座者の頭部から離れる方向に変位するために、相対移動は第１の小区分と第２の小区分との間でもたらされる。この相対移動には、特に回転移動が含まれる。本発明によれば、第１の小区分の隣接面は、さらに第２の小区分の隣接面に隣接する。第１の小区分と第２の小区分との相対移動の間に、隣接面もお互いに対して移動する。小区分のそれぞれは、好ましくは少なくとも部分的に円筒状の断面を備える。隣接面は好ましくは所定のピッチを備える部分的に円筒状の断面で螺旋状になっている。従って、それらは螺旋状の小区分の形態になっている。特に好ましい態様では、それぞれの小区分は、それぞれが直径方向で反対側に配置される２つの隣接面を備える。相互に関連する隣接面の相対移動によって、第１の小区分は前後に移動する。１つの小区分の隣接面は、好ましくは適切な位置で固定され、および他の隣接面だけが移動および好ましくは隣接面に沿って滑る。本発明によれば、１つの隣接面はポジティブ−ロック手段を備え、たとえば、歯は、特に鋸歯形状である。ポジティブ−ロック手段は、特に２つの小区分の間の相対移動を防止するように機能し、すなわち、第１の小区分を特定の位置で固定させる。 
【０００６】
本発明によれば、変位方向に対して垂直に配置された面とポジティブ−ロック手段との間の半径方向角は、少なくとも部分的に、半径方向角＞０°かつ半径方向角＜９０°である。従って、ポジティブ−ロック手段は、半径方向に入射角を有する。従って、ポジティブ−ロック手段は、好ましくは着座者の頭部方向に傾いている。ポジティブ−ロック手段が傾きを有することで、たとえば、ロック手段からポジティブ−ロック手段を開放する場合に、実質的により迅速に、したがって音もなく、および摩耗なく開放されるという利点がある。
【０００７】
半径方向角は好ましくは＞３０°、特に好ましくは４０°と５０°との間であり、非常に好ましくは４５°である。半径方向角は好ましくは隣接面のすべての幅と長さにわたって一定である。
【０００８】
本発明のこの主題に関してなされた説明は、本発明の主題の他の態様にも同様に適用でき、および、その逆も同様である。
【０００９】
本発明の別のまたは好ましい主題によれば、ヘッドレストは、第１の小区分および第２の小区分がお互いに対して移動することを防止するロック手段を備え、ロック動作を解放するために、ロック手段は弾性的に変形する。従って、本発明によれば、ロック手段と第１の小区分または第２の小区分との間で提供されるポジティブ−ロック接続を解放するために、ロック手段は少なくとも部分的に弾性的に屈曲する。ロック手段に設けられるポジティブ−ロック手段は、小区分の１つに設けられたポジティブ−ロック手段との係合が取り外される。再びポジティブ−ロック接続を生成するために、ロック手段は、その元の位置に弾性的に戻る。ロック手段は、解放のために、好ましくは半径外側方向に屈曲させられる。
【００１０】
本発明のこの主題に関してなされた説明は、本発明の主題の他の態様にも同様に適用でき、および、その逆も同様である。
【００１１】
好ましい実施形態によれば、ヘッドレストの第１の小区分に引っ張り動作が加えられるとすぐに、自動的にロック動作の解放が実施される。該引っ張り移動によって、ロック手段のポジティブ−ロック手段、特に第１の小区分のポジティブ−ロック手段は自動的にポジティブ−ロック手段から離れ、そのロックが取り外される。該ロック解除位置は、ヘッドレスト、特に第１の小区分に圧力が加わるまで、たとえば、事故の場合および／または着座者が頭部をヘッドレストの第１の小区分に置く場合まで保持される。そのときに、ロック手段は自動的にそのロック位置に戻って係合する。さらに、第１の小区分をその先頭位置に到達するまでさらに引っ張ると、ロック手段をロック解除することができる。第１の小区分がその位置から戻って着座者の頭部からさらに離れる位置に移動しようとする場合には、手動または電動でロック動作が解除される。
【００１２】
本発明の別のまたは好ましい主題によれば、ロック手段は、２つの異なる、重複しない移動によってロック位置またはロック解除位置に移動できるポジティブ−ロック手段を備える。
【００１３】
本発明のこの主題に関してなされた説明は、本発明の主題の他の態様にも同様に適用でき、および、その逆も同様である。
【００１４】
たとえば、ポジティブ−ロック手段は、第１の部分または第２の部分のポジティブ−ロック手段から半径方向への移動および軸方向の移動の両方によって解放できる。第１の移動である、半径方向への移動が上記のように自動的に実施されるが、他の移動は電動または手動で実施される。そのロック動作を解放するために、ポジティブ−ロック手段は、第１の部分または第２の部分から手動または電動で軸方向に離れるように移動する。
【００１５】
以下の説明は、本発明の主題のすべての態様に適用される。
【００１６】
ロック手段のポジティブ−ロック手段は、好ましくは少なくとも部分的に、好ましくは第１の小区分または第２の小区分のポジティブ−ロック手段の半径方向角に対応する半径方向角を有する。
【００１７】
本発明の好ましい実施形態では、ヘッドレストは、ロック手段のポジティブ−ロック手段を変形させるスペーサ手段を備える。スペーサ手段は好ましくは２つの小区分の間で押圧され、および、第１の小区分が着座者の頭部の方向に移動させられるとすぐに、ロック手段のポジティブ−ロック手段を外側に屈曲させる。
【００１８】
スペーサ手段は、好ましくは先細になっている経路の中に保持される回転部材である。
【００１９】
本発明は、さらに、車両座席のためのヘッドレストを調節する方法に関し、着座者の頭部に面する少なくとも第１の小区分は、着座者の頭部の方向に、線に沿って変位し、ヘッドレストの第３の小区分の上に配置された第１の小区分と第２の小区分（１２）との間の変位移動中に相対移動が発生し、および、この相対移動によってロック手段を部分的に変形するスペーサ手段を駆動する。
【００２０】
本発明によるヘッドレストに関連する説明は、同様に本発明による方法に適用され、および、その逆も同様である。
【００２１】
本発明の主題のすべての態様の特徴は、自由に相互に組み合わせてもよい。
【００２２】
本発明は図１から図６を参照して以下に説明される。これらの説明は単に例示的なもので、一般的な発明の概念を制限するものではない。同様に該説明は本発明の内容のすべての態様に適用される。
【図面の簡単な説明】
【００２３】
【図１】ヘッドレストを備える車両座席を示す。
【図２ａ】ヘッドレストに使用できる駆動デバイスのさまざまな軸方向位置での部分図である。
【図２ｂ】ヘッドレストに使用できる駆動デバイスのさまざまな軸方向位置での部分図である。
【図２ｃ】ヘッドレストに使用できる駆動デバイスのさまざまな軸方向位置での部分図である。
【図２ｄ】ヘッドレストに使用できる駆動デバイスのさまざまな軸方向位置での部分図である。
【図３】外側に傾斜するロック状態のポジティブ−ロック手段を有する螺旋構造を示す。
【図４】スペーサ手段を備えるロック手段を示す。
【図５】図４の詳細を示す。
【図６】ロック手段の手動ロック解除を示す。
【発明を実施するための形態】
【００２４】
図１に見られるように、本発明による車両座席１または本発明によるヘッドレスト４を備える車両座席１は、特に傾斜が調節可能なように接続されたシート部材２と、ヘッドレスト４を備える背もたれ３を具備する。保持棒５は、好ましくは２つ一組で、ヘッドレストを背もたれ３に固定できるように備えられる。あるいは、しかしながら、背もたれ３とヘッドレスト４との間に他の固定可能物（図示せず）を設けても良い。ヘッドレスト４の一対の保持棒５は、背もたれ３、または、背もたれ３の上部領域のヘッドレスト４、または、ヘッドレスト４の領域結合部（図示せず）を介してヘッドレスト４に旋回可能な方法で接続できる。本発明によれば、ヘッドレスト４はヘッドレスト４の少なくとも第１の小区分１１を含み、該小区分１１は着座者の頭部に面し、および、事故の場合および／または快適性を調節するために、格納位置（図１で実線で示される）から前方位置（図１で破線で示される）への変位方向に着座者の頭部に向かって変位できる。第１の小区分１１は特に革張り部材であり、その上に着座者の頭部が位置でき、または支持される。ヘッドレストの第３の小区分は特にヘッドレストのベース部材であって、高さおよび／または傾きをも調節可能なように、保持棒５を介して背もたれ３に強固に接続されている。駆動デバイスは、以下に詳細に記載され、第２の小区分１２を含み、および着座者の頭部に向かう移動方向Ｃに第１の小区分１１の変位をもたらし、第１の小区分１１と第３の小区分１３との間のヘッドレスト４の中に配置される。
【００２５】
本発明によるヘッドレスト４の小区分１１、１２、１３の相対移動の概略を、図２ａから図２ｄを参照してより詳細に説明する。この場合には、図２ａおよび２ｂは格納位置にあるヘッドレストの状態を示し、図２ｃおよび２ｄは前進位置のヘッドレストの状態を示す（着座者への方向の第１の小区分１１の変位、移動方向Ｃ）、図２ｂはヘッドレスト４の部分正面図であり、図２ａの部分Ｘ−Ｘ線によって図２ａの部分側面図として記載されている。図２ｄはヘッドレスト４の部分正面図であり、図２ｃの部分Ｘ−Ｘ線によって図２ｃの部分側面図として記載されている。
【００２６】
図２ａ〜図２ｄに見られるように、第１の小区分１１および第２の小区分１２にはそれぞれ隣接面１１’、１２’があり、この場合にはヘッドレストの中心軸１９に対して斜めに備えられる傾斜面である。隣接面１１’、１２’はお互いに隣接し、および弾性手段２０および隣接面の傾きによる所定の垂直力でお互いに押しつけられている。さらに、第１の小区分１１は線形に変位でき、および第２の小区分１２は第３の小区分１３の中に回転可能に備えられる。第２の小区分１２および第３の小区分１３はそれぞれ止め具２１、２２を備え、その間にスプリング２０が配置される。図２ａおよび図２ｂは、第１の小区分１１が着座者の頭部から最も遠い位置に配置された状態のヘッドレストを図示する。この状態では、スプリング２０は最大のプリテンションを有する。第１の小区分１１が着座者の快適性を調節するために図２ｃおよび図２ｄの矢印Ｃで図示される方向に引っ張られると、第１の小区分１１および第２の小区分１２の間で該第２の小区分の至近距離に間隙が発生し、該第２の小区分はスプリング２０に駆動された状態で軸１９の周りを回転する。したがって傾斜面１１’、１２’は隣接したままである。隣接面１１’、１２’は正面で隣接する必要はなく、代わりに、以下に図示されるように、小区分１１、１２の周辺部で隣接してもよいことは当業者であれば理解できる。着座者の頭部から離れる方向に小区分が移動する場合も同様に機能する。第２の小区分１２は、第１の小区分１１の線形移動およびスプリング２０のプリテンションによって回転する。当業者であれば、第１の部分１２の変位機構は異なる方法で構成することができることを理解できる。
【００２７】
図３の実施形態によれば、隣接面１１’は螺旋状に第１の小区分１１の周辺に配置される。図３に見られるように、第１の小区分１１の隣接面１１’はポジティブ−ロック手段１４を備え、この場合にはそれは鋸歯状の歯配列である。該ポジティブ−ロック手段１４は、移動方向Ｃに対して垂直に形成される面２３に対して、本発明の場合には４５°である半径方向角αを有する。半径方向角αは、螺旋状隣接面１１’のピッチ角ではない。少なくとも一つの方向、好ましくは２つの方向でくさび状であるロック手段１５は、第２の小区分１２の上に配置され、および、その端部にポジティブ−ロック手段１４と嵌合するポジティブ−ロック手段１６を備え、および半径方向角αで配置されるので、可能なだけ広範囲でロック状態の歯がお互いに隣接する。ロック手段１５のポジティブ−ロック手段１６は、図３に示されるように、ポジティブ−ロック手段１４と係合するので、小区分１１、１２がお互いに対して回転することを妨げる。理由を明確にするために、この場合には隣接面１２’は省略されるが、小区分１２の周辺で隣接面１１’に対して同様に螺旋状に配置される。第１の小区分１１が第２の小区分１２から離れて直線方向に着座者によって引っぱられると、ポジティブ−ロック手段１１’、１２’は、その動きによって係合がはずれる。同時に、または実質的に同時に、小区分１２は所定の角度でスペーサ手段１７の周りを回転するので、この場合には玉は第２の小区分１２の周辺とスペーサ手段の内部周辺との間を移動し、および、したがってポジティブ−ロック手段１６が上に配置されるロック手段１５の一部分を弾性的に外側に曲げる。従って、ポジティブ−ロック手段１６は、少なくとも部分的にポジティブ−ロック手段１４から離れて半径方向に移動する。該ロック手段の弾性変形は、特にロック手段１５のテーパ方向のポジティブ−ロック手段１６で、好ましくは２つの方向で促進される。軸方向への第１の小区分１１の変位、ポジティブ−ロック手段１６の半径方向への移動およびポジティブ−ロック手段１４、１６の傾きによって、これらの手段の係合は素早くはずれるので、実質的に音がせずに、小区分１１が引っぱられる場合の摩耗もない。
【００２８】
図５は図４の詳細を示す。外側半径方向に曲がる、ポジティブ−ロック手段１６を備えるロック手段１５の端部が見られる。さらにポジティブ−ロック手段１４、１６が半径方向角αで設けられていることも示される。図５からわかるように、スペーサ手段１７によって、ロック手段１５が弾性的に屈曲するが、この場合の玉には、いかなる回転部材または複数の回転部材を使用することも可能である。玉１７は空間１８である、受け取りポケットを形成するように配置され、その深さは好ましくは右から左の方向で減少する。左側位置では、ロック手段１５に設けられる受容空間１８はロック手段が曲がらないように玉を完全に受容する。小区分１１、１２のお互いに対する回転、および第１の小区分１１とロック手段１５とのお互いに対する回転中に、玉はその左側位置（図示された位置）から回転し、および半径の外側方向にロック手段を曲げる。第１の小区分の線形移動の終了後に、玉１７も図５に図示された位置に残る。しかしながら、着座者の頭部のよりかかりまたは事故によって、第１の小区分に圧力が印加されるとすぐに、最小限の相対回転がロック手段１５と第１の小区分１１の間で発生し、玉はその左側位置に変位するので、ポジティブ−ロック手段１４、１６は再び係合する。第１の小区分１１の移動中に、ロックおよびロック解除の両方ともが自動的に実施される。
【００２９】
しかしながら、第１の小区分１１を移動させないで、ロック解除またはロックをしようとする状況もある。この場合のために、ロック手段は、たとえば、ポジティブ−ロック手段１４から軸方向にロック手段を離れるように変位させる、ボールペン機構等の機構を備える。図６はロック手段１５が解除される位置を示し、この場合にはロック手段１５の軸方向への移動によって解除される。
【図１】
0005646052.tif 000002
【図２ａ】
0005646052.tif 000003
【図２ｂ】
0005646052.tif 000004
【図２ｃ】
0005646052.tif 000005
【図２ｄ】
0005646052.tif 000006
【図３】
0005646052.tif 000007
【図４】
0005646052.tif 000008
【図５】
0005646052.tif 000009
【図６】
0005646052.tif 000010